(57)【要約】【課題】  部品間の寸法ばらつきを吸収するために部品が大型化するという課題があった。また、基板上の電子部品の実装面積を拡大することを目的とする。【解決手段】  筐体８と、少なくとも電子部品に電力を供給する経路が形成された基板３と、基板３と可撓性を有する接続部材３ｂを介して接続された第二の基板３ａと、板状の導電性部材を曲げることにより形成されたものであって、外部電源から電力を供給する充電器側の端子部と接する充電器側端子部、第二の基板３ａを弾性力を用いて挟み込むように保持して第二の基板３ａを電気的に接続するばね部２ａ、筐体８に位置決め固定するための固定部を備えた充電端子２を設けた。【選択図】  図３
2008113332.tif 000002
【特許請求の範囲】
【請求項１】
筐体と、
この筐体内に設けられて、少なくとも電子部品に電力を供給する経路が形成された基板と、
前記基板と可撓性を有する接続部材を介して接続された第二の基板と、
板状の導電性部材を曲げることにより形成されたものであって、前記導電性部材上に設けられた、外部電源から電力を供給する充電器側の端子部と接する充電器側端子部、前記第二の基板を弾性力を用いて挟み込むように保持し、前記充電器側端子部と前記第二の基板を電気的に接続するばね部、前記筐体に位置決め固定するための固定部を備えた充電端子とを設けたことを特徴とする電子機器。
【請求項２】
板状の導電性部材を曲げることにより形成されたものであって、前記導電性部材上に設けられた、外部電源から電力を供給する充電器側の端子部と接する充電器側端子部と、電子部品が実装された第一の基板と分離され、可撓性を有する接続部材を介して接続された第二の基板を弾性力を用いて挟み込むように保持し、前記充電器側端子部と前記第二の基板を電気的に接続するばね部と、筐体に位置決め固定するための固定部とを備えたことを特徴とする充電端子。
【発明の詳細な説明】
【技術分野】
【０００１】
本発明は、例えば携帯電話機のような電子機器に関するものであり、特に電子機器を安定して充電するための充電端子に関するものである。
【背景技術】
【０００２】
特許文献１には、電子機器のコンタクトと電池内の基板を電気的に接続するための接続装置が開示されている。特許文献１によると、この接続装置は、電池のハウジングの開口内に機器側のコンタクトを挟み込んで保持する第一の接続部と、この第一の接続部と一体に設けられて、電池内の基板を弾性力により挟み込んで機器側のコンタクトと基板とを電気的に接続する第二の接続部を備えている。
【０００３】
【特許文献１】特開２００２−１２４２３４号公報
【０００４】
また、特許文献２には、プリント基板に対してその平面部が所定角度をなすよう設けられる内蔵アンテナが開示されている。特許文献２によると、この内蔵アンテナは、プリント基板に対して弾性力により当接して、内蔵アンテナとプリント基板を電気的に接続する接点端子部を備えている。
【０００５】
【特許文献２】特開２００２−２４６９３５号公報
【発明の開示】
【発明が解決しようとする課題】
【０００６】
ところで、特許文献１及び特許文献２は、いずれも弾性力を有する部材（特許文献１の第二の接続部、特許文献２の接点端子部）を基板に当接させて、電気的接続を得るものであるが、この端子の部品間の寸法ばらつきを吸収し、接触信頼性を確保するためには、端子のサイズを大型化する必要があった。また、特許文献１、２に記載されたような部材は、基板の実装面側に接触して電気的導通を得るため、基板に電子部品を実装可能な面積が狭くなり、製品の小型化を図る上で問題となっている。
【課題を解決するための手段】
【０００７】
本発明に係る電子機器は、上記のような課題を解決するためになされたものであり、筐体と、この筐体内に設けられて、少なくとも電子部品に電力を供給する経路が形成された基板と、基板と可撓性を有する接続部材を介して接続された第二の基板と、板状の導電性部材を曲げることにより形成されたものであって、導電性部材上に設けられた、外部電源から電力を供給する充電器側の端子部と接する充電器側端子部、第二の基板を弾性力を用いて挟み込むように保持し、充電器側端子部と第二の基板を電気的に接続するばね部、筐体に位置決め固定するための固定部を備えた充電端子とを設けたものである。
【０００８】
本発明に係る充電端子は、上記のような課題を解決するためになされたものであり、板状の導電性部材を曲げることにより形成されたものであって、導電性部材上に設けられた、外部電源から電力を供給する充電器側の端子部と接する充電器側端子部と、電子部品が実装された第一の基板と分離され、可撓性を有する接続部材を介して接続された第二の基板を弾性力を用いて挟み込むように保持し、充電器側端子部と第二の基板を電気的に接続するばね部と、筐体に位置決め固定するための固定部とを備えたものである。
【発明の効果】
【０００９】
本発明に係る電子機器は、筐体と、この筐体内に設けられて、少なくとも電子部品に電力を供給する経路が形成された基板と、基板と可撓性を有する接続部材を介して接続された第二の基板と、板状の導電性部材を曲げることにより形成されたものであって、導電性部材上に設けられた、外部電源から電力を供給する充電器側の端子部と接する充電器側端子部、第二の基板を弾性力を用いて挟み込むように保持し、充電器側端子部と第二の基板を電気的に接続するばね部、筐体に位置決め固定するための固定部を備えた充電端子とを設けたので、充電端子の形状を小型化するとともに、基板上の電子部品の実装面積を拡大することができ、端末の小型化を図ることができるという効果を奏する。
【００１０】
本発明に係る充電端子は、板状の導電性部材を曲げることにより形成されたものであって、導電性部材上に設けられた、外部電源から電力を供給する充電器側の端子部と接する充電器側端子部と、電子部品が実装された第一の基板と分離され、可撓性を有する接続部材を介して接続された第二の基板を弾性力を用いて挟み込むように保持し、充電器側端子部と第二の基板を電気的に接続するばね部と、筐体に位置決め固定するための固定部とを備えたので、充電端子の形状を小型化することができるという効果を奏する。
【発明を実施するための最良の形態】
【００１１】
実施の形態１．
図１は携帯電話機の外観を示す外観斜視図である。図１において、携帯電話機１の底面に充電器などの外部機器と接続するための充電端子２が設けられており、外部機器側の接続コネクタと電気的に接続され、携帯電話機の電池パックが充電される。図２は、充電端子と基板を接続する状態を説明する分解斜視図である。図３は、充電端子と基板を接続するとともに筐体に組み付けた状態を示す断面図である。図２において、充電端子２は、後述する第二の基板３ａを挟み込むばね２ａ、フレーム４の端子固定部４ｂに挿入され、第二の基板３ａをホールドする固定部２ｂを板状の導電性部材を曲げることにより形成している。充電端子２の接触部分には金めっき処理が施されて、接触信頼性の向上が図られている。
【００１２】
第二の基板３ａは、基板３から分割されている。第二の基板３ａと基板３はフレキシブル接続基板３ｂによって接続される。フレキシブル接続基板３ｂは可撓性を有しているため、第二の基板３ａを基板３に対して任意の角度に曲げた状態で組み付けることができる。第二の基板３ａに端子めっき部を設けて直接外部機器との接続部とした場合、めっき厚さを十分確保することが出来ないので、接触信頼性に劣るという問題があるが、この問題点は第二の基板３ａを金属製の充電端子２を用いて固定することにより改善することができる。図３に示されるとおり、フレーム４は、基板３を固定保持するとともに、充電端子２によって、第二の基板３ａを基板３に対して９０度折り曲げた状態で固定するものである。
【００１３】
以下、図２および図３を参照しながら構成について説明する。基板３をフレーム４に固定し、第二の基板３ａを９０度折り曲げた状態で保持するよう充電端子２をフレーム４に固定する。第二の基板３ａはフレーム４の突起４ａを当て面として固定されて位置決めされる。充電端子２のばね２ａは第二の基板３ａを挟み込むように保持し、充電端子２と第二の基板３ａ間で電気的導通を確保する。このとき、充電端子のばね２ａは第二の基板３ａのみで位置が固定されるため、部品の累積公差を考慮する必要がなくなり、ばね形状の小型化を図ることが出来る。また、充電端子２のばね２ａは基板３に対して９０度の角度で配置されているため、基板上の部品配置領域への干渉を小さくすることが出来る。
【００１４】
また、充電端子の固定部２ｂはフレーム４の端子固定部４ｂに挿入され、第二の基板３ａの固定用部品を兼用する。充電端子２と第二の基板３ａはフレーム４の受けリブとなる基板当て面（突起４ａ）を受け面とし、外部機器の接続コネクタの接触荷重を受ける構造になっている。図３に示すように、筐体に組み込まれた状態では充電端子２はケースの裏面に設けたクッション５によって衝撃が吸収されてがたつきが規制される。上記説明のとおり構成することにより、部品の累積交差を考慮する必要がなくなるので、接点部のばね形状を小型化できるという効果がある。また、電子部品が実装される基板３と充電器からの電力を受ける充電端子と接触する第二の基板３ａを分割することにより、基板上の電子部品を実装可能な面積を大きくすることができ、製品の小型化を図ることができる。
【００１５】
図９は充電端子と基板を接続するとともに筐体に組み付けた状態を示す断面図である。図９は一般的な充電端子と基板の接続構造を示すものであり、本発明の構成と対比説明する便宜上示すものである。図９において、図３と同一の符号は同一または相当部分を示すので説明は省略する。１０は充電端子である。図９に示す一般的な充電端子部構造は、接点のばねを有する充電端子１０を筐体８に固定し、基板３を固定したフレーム４に組み付けることにより接触荷重を得るように構成されていたため、部品間の寸法ばらつきを吸収し接触信頼性を確保するために充電端子１０の大型化が必要であった。また、充電端子１０の弾性力を用いて、接触部を基板の実装面側に当接させていたため、図９の円Ａで囲んだ基板上の領域には電子部品を実装することができない。つまり、電子部品の実装面積が小さくなり、円Ａの領域分せまくなるため、製品の小型化ができないという問題点があった。本発明は、上記のような問題点を解消するためになされたもので、ばねの形状を小型化するとともに、基板の実装領域を拡大し、端子が基板固定用部品を兼ねることにより部品点数を増やさずに構成するという効果を奏するものである。
【００１６】
なお、上記説明では、充電端子ばねで基板と電気的に接続したが、図４に示すように、板金の端子板６を直接第二の基板３ａに実装してもよい。また、携帯電話機の充電端子構造について説明したが、基板と基板を電気的に接続する箇所にも使用可能である。また、上記説明では充電端子ばね２で第二の基板３ａに電気的に接続させたが、図５に示すように、固定構造部が一体となった充電端子７を第二の基板３ａに実装してもよい。また、上記説明では第二の基板３ａに接続する端子ばね２ａは一本であったが、図６に示すように、複数の接触用ばね９ａを設けた充電端子９を用いてもよい。また、上記説明では充電端子２は基板３に対して９０度回転させた状態で固定していたが、図７に示すように任意の角度で固定しても良い。また、上記説明では携帯電話機の底面に充電端子２を設けていたが、図８に示すように任意の箇所に充電端子２を配置しても良い。また、充電端子２に金めっき処理を施すのではなく、任意のめっき仕様としても良い。
【図面の簡単な説明】
【００１７】
【図１】携帯電話機の外観を示す外観斜視図である。
【図２】充電端子と基板を電気的に接続する状態を説明する分解斜視図である。
【図３】充電端子と基板を接続するとともに筐体に組み付けた状態を示す断面図である。
【図４】充電端子と基板を電気的に接続する状態を説明する分解斜視図である。
【図５】充電端子と基板を電気的に接続する状態を説明する分解斜視図である。
【図６】充電端子の外観を示す外観斜視図である。
【図７】充電端子と基板を接続するとともに筐体に組み付けた状態を示す断面図である。
【図８】携帯電話機の外観を示す外観斜視図である。
【図９】充電端子と基板を接続するとともに筐体に組み付けた状態を示す断面図である。
【符号の説明】
【００１８】
１  携帯電話機、２  充電端子、３  基板、４  フレーム、５  クッション、
６  端子板、７  充電端子、８  筐体、９  充電端子、１０  充電端子
【図１】
2008113332.tif 000003
【図２】
2008113332.tif 000004
【図３】
2008113332.tif 000005
【図４】
2008113332.tif 000006
【図５】
2008113332.tif 000007
【図６】
2008113332.tif 000008
【図７】
2008113332.tif 000009
【図８】
2008113332.tif 000010
【図９】
2008113332.tif 000011